(57)【要約】【課題】パワー・スイッチング素子がスイッチングする際のスイッチング損失を低減し、フリーホイール・ダイオードの逆回復時に発生するスパイク電圧を低減し、効率の高いモータ駆動用インバータ制御装置を提供する。【解決手段】パワー・スイッチング素子駆動回路の制御用電源に接続された昇圧コンバータ回路と、昇圧コンバータ回路の出力に接続された電圧比較回路とを有し、電圧比較回路の出力を他の相のインバータ回路のフリーホイール・ダイオードに接続し、パワー・スイッチング素子をＯＦＦする時に、昇圧コンバータ回路のスイッチング手段をＯＦＦし、スナバ回路のエネルギーにより昇圧コンバータ回路を昇圧動作させ、電圧比較回路の出力をインバータ回路のフリーホイール・ダイオードに印加することを特徴とするモータ駆動用インバータ制御装置。【選択図】図１
2008109792.tif 000002
【特許請求の範囲】
【請求項１】
交流電源を入力とする整流回路と、前記整流回路の出力に接続されたパワー・スイッチング素子とフリーホイール・ダイオードをブリッジ結線したモータを駆動するインバータ回路と、前記インバータ回路のパワー・スイッチング素子をそれぞれ駆動する駆動回路と、前記パワー・スイッチング素子に並列接続されるスナバダイオードとスナバコンデンサとで構成されるスナバ回路と、前記スナバコンデンサに接続されたリアクタとスイッチング手段とダイオードをと有する昇圧コンバータ回路と、前記昇圧コンバータ回路の出力に接続された電圧比較回路を備え、前記電圧比較回路の出力を前記インバータ回路の他の相のフリーホイール・ダイオードに接続し、前記パワー・スイッチング素子をＯＦＦする時に、前記昇圧コンバータ回路のスイッチング手段をＯＦＦして前記昇圧コンバータ回路を昇圧動作させ、前記電圧比較回路の出力を前記パワー・スイッチング素子に逆並列接続されたフリーホイール・ダイオードに印加することを特徴とするモータ駆動用インバータ制御装置。
【請求項２】
前記パワー・スイッチング素子をＯＮする時に、他の相の前記昇圧コンバータ回路のスイッチング手段をＯＮし、前記パワー・スイッチング素子をＯＦＦする時に、前記昇圧コンバータ回路のスイッチング手段をＯＦＦして前記昇圧コンバータ回路を昇圧動作させ、前記電圧比較回路の出力を前記インバータ回路のフリーホイール・ダイオードに印加することを特徴とする請求項１に記載のモータ駆動用インバータ制御装置。
【請求項３】
前記パワー・スイッチング素子をＯＦＦする時点より前に一定期間、他の相の前記昇圧コンバータ回路のスイッチング手段をＯＮし、前記パワー・スイッチング素子をＯＦＦする時に、前記昇圧コンバータ回路のスイッチング手段をＯＦＦして前記昇圧コンバータ回路を昇圧動作させ、前記電圧比較回路の出力を前記インバータ回路のフリーホイール・ダイオードに印加することを特徴とする請求項１に記載のモータ駆動用インバータ制御装置。
【請求項４】
前記昇圧コンバータ回路のゲート駆動回路電源をスナバコンデンサのエネルギーとすることを特徴とする請求項１〜３のいずれか１項に記載のモータ駆動用インバータ制御装置。
【請求項５】
前記昇圧コンバータ回路のゲート駆動回路電源を前記パワー・スイッチング素子の駆動回路の電源とすることを特徴とする請求項１〜４のいずれか１項に記載のモータ駆動用インバータ制御装置。
【請求項６】
前記インバータ回路のパワー・スイッチング素子は、ＳｉＣ、ＧａＮ、ＳｉＧｅ、ＭＯＳＦＥＴ、ＩＧＢＴまたはトランジスタで構成することを特徴とする請求項１〜５のいずれか１項に記載のモータ駆動用インバータ制御装置。
【請求項７】
前記昇圧コンバータ回路のスイッチング手段は、ＳｉＣ、ＧａＮ、ＳｉＧｅ、ＭＯＳＦＥＴ、ＩＧＢＴまたはトランジスタで構成することを特徴とする請求項１〜６のいずれか１項に記載のモータ駆動用インバータ制御装置。
【請求項８】
モータと、前記モータを制御する請求項１〜７のいずれか１項に記載のモータ駆動用インバータ制御装置とを備えた圧縮機。
【請求項９】
請求項８に記載の圧縮機を備えた冷蔵庫。
【請求項１０】
請求項８に記載の圧縮機を備えた空気調和機。
【発明の詳細な説明】
【技術分野】
【０００１】
本発明は、パルス幅変調制御により出力制御を行うパワー・スイッチング素子を駆動するパワー回路を用いたモータ駆動用インバータ制御装置に関するものである。
【背景技術】
【０００２】
従来、モータを可変速制御するには、パルス幅変調制御により出力制御するインバータ制御が使用されている。
【０００３】
図３は、従来のモータ駆動用インバータ制御装置の一例を示す図である。図３に示されるように、この従来のモータ駆動用インバータ制御装置は、交流電源２と、前記交流電源２を入力とする整流回路３と、前記整流回路３の正側と負側の出力間に接続された平滑用コンデンサ４と、前記整流回路３の正側と負側の出力間に接続されたブリッジ結線されたパワー・スイッチング素子５〜１０と、前記パワー・スイッチング素子５〜１０にそれぞれ逆並列接続されたフリーホイール・ダイオード１１〜１６と、前記パワー・スイッチング素子５〜１０をそれぞれ駆動する駆動回路１７〜２２を備え、前記パワー・スイッチング素子５〜１０のブリッジ結線の出力Ｕ、Ｖ、Ｗにモータ１が接続されている。
【０００４】
前記駆動回路１７〜２２は、それぞれ前記パワー・スイッチング素子５〜１０をＯＮ、ＯＦＦするゲート駆動回路２４〜２９と、前記ゲート駆動回路２４〜２９を動作さす制御用電源３０〜３５で構成されている。モータ１は、ＣＰＵ２３で演算されたパルス幅変調制御の結果により前記パワー・スイッチング素子５〜１０のＯＮ、ＯＦＦする期間を制御され、可変速制御を行うことができる（例えば、特許文献１参照）。
【特許文献１】特開平６−２８４７４０号公報
【発明の開示】
【発明が解決しようとする課題】
【０００５】
しかしながら、図３に示す従来のモータ駆動用インバータ制御装置では、パワー・スイッチング素子５〜１０がスイッチングする際にスイッチング損失が発生し、スイッチング周波数が高くなると、スイッチング損失が増大する。
【０００６】
なおここで、モータ巻線Ｕ相に流れる電流について説明する。一般的にモータ巻線の簡易等価回路は抵抗とインダクタンスと誘起電圧に相当する電圧源が直列に接続したものとして表される。したがって、純抵抗負荷とは異なりモータ巻線Ｕ相に印加した電圧により一義的にモータ巻線Ｕ相を流れる電流の方向が定まらず、パワー・スイッチング素子５がＯＮでかつパワー・スイッチング素子６がＯＦＦでかつインバータ制御装置Ｕ相からモータ１に電流が流出しているＡの状態と、パワー・スイッチング素子５がＯＮでかつパワー・スイッチング素子６がＯＦＦでかつインバータ制御装置Ｕ相にモータ１から電流が流入しているＢの状態と、パワー・スイッチング素子５がＯＦＦでかつパワー・スイッチング素子６がＯＮでかつインバータ制御装置Ｕ相にモータ１から電流が流入しているＣの状態と、  パワー・スイッチング素子５がＯＦＦでかつパワー・スイッチング素子６がＯＮでかつインバータ制御装置Ｕ相からモータ１に電流が流出しているＤの状態の、４つの状態を有する。
【０００７】
まずＡの状態においては、モータ巻線Ｕ相を流れる電流はパワー・スイッチング素子５を流れることがわかる。またＣの状態においては、モータ巻線Ｕ相を流れる電流はパワー・スイッチング素子６を流れることがわかる。またＢの状態とＤの状態については、モー
タ巻線Ｕ相を流れる電流はフリーホイール・ダイオード１１およびフリーホイール・ダイオード１２をそれぞれ流れることがわかる。
【０００８】
ここでＢの状態におけるモータ巻線Ｕ相電圧は、モータ巻線Ｕ相を流れる電流により上昇し、フリーホイール・ダイオード１１が導通した時点で固定されることがわかる。このフリーホイール・ダイオード１１の逆回復時間ｔｒｒが長いとスイッチング損失が増大するため、なるべくフリーホイール・ダイオード１１は逆回復時間の短いものを選定することが好ましい。
【０００９】
図４は、従来のモータ駆動用インバータ制御装置の上記Ｂの状態における動作を示す図である。同様に、Ｄの状態におけるモータ巻線Ｕ相電圧は、モータ巻線Ｕ相を流れる電流により下降し、フリーホイール・ダイオード１２が導通した時点で固定される。このフリーホイール・ダイオード１２の逆回復時間ｔｒｒが長いとスイッチング損失が増大するため、なるべくフリーホイール・ダイオード１２は逆回復時間の短いものを選定することが好ましい。
【００１０】
図５は、従来のモータ駆動用インバータ制御装置の上記Ｄの状態における動作を示す図である。このように、従来のモータ駆動用インバータ制御装置では、フリーホイール・ダイオードの逆回復時間特性を最適に選定する必要があった。パワーＭＯＳＦＥＴにおいては、パワーＭＯＳＦＥＴの構造上、ソース・ドレイン間に寄生ダイオードが形成されてしまい、この寄生ダイオードがフリーホイール・ダイオードの動作を行う為、逆回復時間の短いフリーホイール・ダイオードを選定することができず、また、ＩＧＢＴまたはトランジスタにおいては、逆回復時間の短いフリーホイール・ダイオードを選定することは可能であるが、価格が上昇するという課題があった。
【００１１】
さらに、フリーホイール・ダイオードの逆回復時間が早すぎると、過大なリカバリ電流が流れ過大なスパイク電圧がパワー・スイッチング素子にかかる課題があった。
【００１２】
本発明は、上記のような課題を解決するためになされたもので、パワー・スイッチング素子５〜１０がスイッチングする際のスイッチング損失を低減でき、さらに、フリーホイール・ダイオード１１〜１６の逆回復時に発生するスパイク電圧を低減でき、効率の高いモータ駆動用インバータ制御装置を得ることを目的とする。
【課題を解決するための手段】
【００１３】
前記従来の課題を解決するために、本発明のモータ駆動用インバータ制御装置は、交流電源を入力とする整流回路と、前記整流回路の出力に接続されたパワー・スイッチング素子とフリーホイール・ダイオードをブリッジ結線したモータを駆動するインバータ回路と、前記インバータ回路のパワー・スイッチング素子をそれぞれ駆動する駆動回路と、前記パワー・スイッチング素子に並列接続されるスナバダイオードとスナバコンデンサとで構成されるスナバ回路と、前記スナバコンデンサに接続されたリアクタとスイッチング手段とダイオードをと有する昇圧コンバータ回路と、前記昇圧コンバータ回路の出力に接続された電圧比較回路を備え、前記電圧比較回路の出力を前記インバータ回路の他の相のフリーホイール・ダイオードに接続し、前記パワー・スイッチング素子をＯＦＦする時に、前記昇圧コンバータ回路のスイッチング手段をＯＦＦして前記昇圧コンバータ回路を昇圧動作させ、前記電圧比較回路の出力を前記パワー・スイッチング素子に逆並列接続されたフリーホイール・ダイオードに印加するものである。
【発明の効果】
【００１４】
本発明のモータ駆動用インバータ制御装置は、フリーホイール・ダイオードの逆回復時間特性を最適に選定する必要ないので、安価なフリーホイール・ダイオードを使用でき、
モータ駆動用インバータ制御装置の低価格化を図ることができる。
【００１５】
さらに、パワー・スイッチング素子がスイッチングする際のスイッチング損失を低減でき、また、フリーホイール・ダイオードの逆回復時に発生するスパイク電圧を低減でき、モータ駆動用インバータ制御装置の省エネを図ることができる。
【発明を実施するための最良の形態】
【００１６】
第１の発明は、交流電源を入力とする整流回路と、前記整流回路の出力に接続されたパワー・スイッチング素子とフリーホイール・ダイオードをブリッジ結線したモータを駆動するインバータ回路と、前記インバータ回路のパワー・スイッチング素子をそれぞれ駆動する駆動回路と、前記パワー・スイッチング素子に並列接続されるスナバダイオードとスナバコンデンサで構成されるスナバ回路と、前記スナバコンデンサに接続されたリアクタとスイッチング手段とダイオードを有する昇圧コンバータ回路と、前記昇圧コンバータ回路の出力に接続された電圧比較回路を備え、前記電圧比較回路の出力を前記インバータ回路の他の相のフリーホイール・ダイオードに接続し、前記パワー・スイッチング素子をＯＦＦする時に、前記昇圧コンバータ回路のスイッチング手段をＯＦＦし、前記昇圧コンバータ回路を昇圧動作させ、前記電圧比較回路の出力を前記パワー・スイッチング素子に逆並列接続されたフリーホイール・ダイオードに印加することにより、パワー・スイッチング素子がスイッチングする際のスイッチング損失を低減でき、さらに、フリーホイール・ダイオードの逆回復時に発生するスパイク電圧を低減でき、モータ駆動用インバータ制御装置の省エネを図ることができる。
【００１７】
第２の発明は、第１の発明において、前記パワー・スイッチング素子をＯＮする時に、他の相の前記昇圧コンバータ回路のスイッチング手段をＯＮさせ、前記パワー・スイッチング素子をＯＦＦする時に、前記昇圧コンバータ回路のスイッチング手段をＯＦＦし、前記昇圧コンバータ回路を昇圧動作させ、前記電圧比較回路の出力を前記インバータ回路のフリーホイール・ダイオードに印加することにより、パワー・スイッチング素子がスイッチングする際のスイッチング損失を低減でき、さらに、フリーホイール・ダイオードの逆回復時に発生するスパイク電圧を低減でき、モータ駆動用インバータ制御装置の省エネを図ることができる。
【００１８】
第３の発明は、第２の発明において、前記パワー・スイッチング素子をＯＦＦする時点より前に一定期間、他の相の前記昇圧コンバータ回路のスイッチング手段をＯＮさせ、前記パワー・スイッチング素子をＯＦＦする時に、前記昇圧コンバータ回路のスイッチング手段をＯＦＦし、前記昇圧コンバータ回路を昇圧動作させ、前記電圧比較回路の出力を前記インバータ回路のフリーホイール・ダイオードに印加することにより、パワー・スイッチング素子がスイッチングする際のスイッチング損失を低減でき、さらに、フリーホイール・ダイオードの逆回復時に発生するスパイク電圧を低減でき、モータ駆動用インバータ制御装置の省エネを図ることができる。
【００１９】
第４の発明は、第１から第３の発明において、前記昇圧コンバータ回路のゲート駆動回路電源をスナバコンデンサのエネルギーとすることにより、パワー・スイッチング素子がスイッチングする際のスイッチング損失を低減でき、さらに、フリーホイール・ダイオードの逆回復時に発生するスパイク電圧を低減でき、モータ駆動用インバータ制御装置の省エネを図ることができる。
【００２０】
第５の発明は、第１から第４の発明において、前記昇圧コンバータ回路のゲート駆動回路電源を前記パワー・スイッチング素子の駆動回路の電源とすることにより、パワー・スイッチング素子がスイッチングする際のスイッチング損失を低減でき、さらに、フリーホイール・ダイオードの逆回復時に発生するスパイク電圧を低減でき、モータ駆動用インバ
ータ制御装置の省エネを図ることができる。
【００２１】
第６の発明は、第１から第５の発明において、インバータ回路のパワー・スイッチング素子は、ＳｉＣ、ＧａＮ、ＳｉＧｅ、ＭＯＳＦＥＴ、ＩＧＢＴまたはトランジスタで構成することにより、パワー・スイッチング素子がスイッチングする際のスイッチング損失を低減でき、さらに、フリーホイール・ダイオードの逆回復時に発生するスパイク電圧を低減でき、モータ駆動用インバータ制御装置の省エネを図ることができる。
【００２２】
第７の発明は、第１から第６の発明において、昇圧コンバータ回路のスイッチング手段は、ＳｉＣ、ＧａＮ、ＳｉＧｅ、ＭＯＳＦＥＴ、ＩＧＢＴまたはトランジスタで構成することにより、パワー・スイッチング素子がスイッチングする際のスイッチング損失を低減でき、さらに、フリーホイール・ダイオードの逆回復時に発生するスパイク電圧を低減でき、モータ駆動用インバータ制御装置の省エネを図ることができる。
【００２３】
第８の発明は、モータと、前記モータを制御するモータ駆動用インバータ制御装置とを備えた圧縮機であって、前記モータ駆動用インバータ制御装置が第１から第７の発明のいずれかのモータ駆動用インバータ制御装置とすることにより、パワー・スイッチング素子がスイッチングする際のスイッチング損失を低減でき、さらに、フリーホイール・ダイオードの逆回復時に発生するスパイク電圧を低減でき、圧縮機の省エネを図ることができる。
【００２４】
第９の発明は、第８の発明の圧縮機を冷蔵庫に用いることにより、パワー・スイッチング素子がスイッチングする際のスイッチング損失を低減でき、さらに、フリーホイール・ダイオードの逆回復時に発生するスパイク電圧を低減でき、冷蔵庫の省エネを図ることができる。
【００２５】
第１０の発明は、第８の発明の圧縮機を空気調和機に用いることにより、パワー・スイッチング素子がスイッチングする際のスイッチング損失を低減でき、さらに、フリーホイール・ダイオードの逆回復時に発生するスパイク電圧を低減でき、空気調和機の省エネを図ることができる。
【００２６】
以下、本発明の実施の形態について説明する。
【００２７】
（実施の形態）
図１は、本発明の実施の形態であるモータ駆動用インバータ制御装置を示す図である。
【００２８】
図１に示されるように、この実施の形態のモータ駆動用インバータ制御装置は、交流電源２と、前記交流電源２を入力とする整流回路３と、前記整流回路３の正側と負側の出力間に接続された平滑用コンデンサ４と、前記整流回路３の正側と負側の出力間に接続されたブリッジ結線されたパワー・スイッチング素子５〜１０と、前記パワー・スイッチング素子５〜１０にそれぞれ逆並列接続されたフリーホイール・ダイオード１１〜１６と、前記パワー・スイッチング素子に並列接続されるスナバダイオードとスナバコンデンサで構成されるスナバ回路３６〜４１と、前記スナバコンデンサに接続されたリアクタとスイッチング手段とダイオードを有する昇圧コンバータ回路４２〜４７と、前記昇圧コンバータ回路４２〜４７の出力にそれぞれ接続された電圧比較回路４８〜５３と、前記パワー・スイッチング素子５〜１０をそれぞれ駆動する駆動回路１７〜２２を備え、前記パワー・スイッチング素子５〜１０のブリッジ結線の出力Ｕ、Ｖ、Ｗにモータ１が接続されている。
【００２９】
前記駆動回路１７〜２２は、それぞれ前記パワー・スイッチング素子５〜１０をＯＮ、ＯＦＦするゲート駆動回路２４〜２９と、前記ゲート駆動回路２４〜２９のそれぞれを動
作さす制御用電源３０〜３５とを有している。また、前記電圧比較回路４８〜５３のそれぞれの出力を他の相の前記フリーホイール・ダイオード１１〜１６のカソードに接続している。
【００３０】
前記昇圧コンバータ回路４２〜４７は、同一構成なため、昇圧コンバータ回路４７で回路構成を説明する。前記昇圧コンバータ回路４７において、リアクタＬ６１の一端は前記スナバコンデンサＣ６０に接続され、さらにリアクタＬ６１の逆の一端は、スイッチング手段Ｑ６１の入力端とダイオードＤ６１のアノードに接続され、前記スイッチング手段Ｑ６１をＯＮ、ＯＦＦするゲート駆動回路ＧＡ６１は前記スイッチング手段Ｑ６１のゲートに接続され、前記ゲート駆動回路ＧＡ６１はスナバコンデンサＣ６０のエネルギーで動作される。コンデンサＣ６１の一端は前記スナバコンデンサＣ６０の逆の一端に接続され、さらにコンデンサＣ６１の逆の一端はダイオードＤ６１のカソードに接続され、前記ダイオードＤ６１のカソードは昇圧コンバータ回路４７の出力端としている。
【００３１】
前記電圧比較回路４８〜５３は、同一構成なため、電圧比較回路５３で回路構成を説明する。前記電圧比較回路５３において、ツェナーダイオードＺＤ６１のアノードとダイオードＤ６２のアノードが接続され、前記ツェナーダイオードＺＤ６１のカソードが、電圧比較回路５３の入力端となり、前記昇圧コンバータ回路４７の出力端と接続され、前記ダイオードＤ６２のカソードが電圧比較回路５３の出力端となる。
【００３２】
さらに、パワー・スイッチング素子５〜１０は、ＳｉＣ、ＧａＮ、ＳｉＧｅ、ＭＯＳＦＥＴ、ＩＧＢＴまたはトランジスタで構成することができる。
【００３３】
また、昇圧コンバータ回路のスイッチング手段Ｑ１１，２１，３１，４１，５１，６１は、ＳｉＣ、ＧａＮ、ＳｉＧｅ、ＭＯＳＦＥＴ、ＩＧＢＴまたはトランジスタで構成ことができる。
【００３４】
なおここで、Ｕ相およびＷ相での動作について説明する。図２は、本発明の実施の形態であるモータ駆動用インバータ制御装置の動作を示す図である。図２の時点Ａは、パワー・スイッチング素子５がＯＦＦでかつパワー・スイッチング素子６がＯＮでかつインバータ制御装置Ｕ相からモータ１に電流が流出している状態で、フリーホイール・ダイオード１２に電流が流れている場合である。
【００３５】
また、パワー・スイッチング素子９がＯＦＦでかつパワー・スイッチング素子１０がＯＮでかつインバータ制御装置Ｗ相にモータ１から電流が流入している状態で、パワー・スイッチング素子１０に電流が流れている場合である。
【００３６】
パワー・スイッチング素子６をＯＮする時に、パワー・スイッチング素子１０に並列接続されているスナバ回路４１のスナバコンデンサＣ６０のエネルギーで動作させる昇圧コンバータ回路４７のスイッチング手段Ｑ６１をＯＮさせる。スイッチング手段Ｑ６１をＯＮさせる前のスナバコンデンサＣ６０はフルに充電されているものとする。スイッチング手段Ｑ６１をＯＮさせると、スナバコンデンサＣ６０の電荷は、スナバコンデンサＣ６０→リアクタＬ６１→スイッチング手段Ｑ６１→スナバコンデンサＣ６０の経路で放電する。スナバコンデンサＣ６０の電圧が０になるとリアクタＬ６１に蓄積されたエネルギーによって、リアクタＬ６１→スイッチング手段Ｑ６１→パワー・スイッチング素子１０→ダイオードＤ６０の経路で一定の電流が流れる状態となる。
【００３７】
次に、パワー・スイッチング素子６をＯＦＦする時に、昇圧コンバータ回路４７のスイッチング手段Ｑ６１をＯＦＦすることにより、リアクタＬ６１に蓄積されていたエネルギーは、リアクタＬ６１→ダイオードＤ６１→コンデンサＣ６１→パワー・スイッチング素
子１０→ダイオードＤ６０→リアクタＬ６１の経路で、コンデンサＣ６１へ移される。すなわち昇圧コンバータ回路４７の出力端の電圧が上昇し、電圧比較回路５３の出力端には、一定期間電圧が出力される。よって、導通状態にあるフリーホイール・ダイオード１２のカソードに電圧が印加され、フリーホイール・ダイオード１２の導通を遮断する。
【００３８】
これにより、パワー・スイッチング素子５がターンオンする時には、フリーホイール・ダイオード１２は導通していないので、短絡電流が流れなく、スイッチング損失が低減する。よって、パワー・スイッチング素子がスイッチングする際のスイッチング損失を低減でき、また、フリーホイール・ダイオードの逆回復時に発生するスパイク電圧を低減でき、モータ駆動用インバータ制御装置の低価格化と省エネを図ることができる。
【００３９】
さらに、フリーホイール・ダイオードを通じたスイッチング時の短絡電流がインバータ回路に流れなくなるので、平滑用コンデンサ４に流れるリップル電流が低減され、平滑用コンデンサ４の容量を低減でき、モータ駆動用インバータ制御装置の小型化を図ることができる。
【００４０】
なお、本実施の形態において、パワー・スイッチング素子をＯＦＦする時点より前に一定期間、前記昇圧コンバータ回路のスイッチング手段をＯＮさせ、前記パワー・スイッチング素子をＯＦＦする時に、前記昇圧コンバータ回路のスイッチング手段をＯＦＦし、前記昇圧コンバータ回路を昇圧動作させ、前記電圧比較回路の出力を前記インバータ回路のフリーホイール・ダイオードに印加した形でも本発明が適用できる。
【産業上の利用可能性】
【００４１】
以上のように、本発明にかかるモータ駆動用インバータ制御装置は、フリーホイール・ダイオードの逆回復時間特性を最適に選定する必要ないので、安価なフリーホイール・ダイオードを使用でき、モータ駆動用インバータ制御装置の低価格化を図ることができる。
【００４２】
さらに、フリーホイール・ダイオードを通じたスイッチング時の短絡電流がインバータ回路に流れなくなるので、平滑用コンデンサに流れるリップル電流が低減され、平滑用コンデンサの容量を低減でき、モータ駆動用インバータ制御装置の小型化を図ることができる。
【００４３】
また、パワー・スイッチング素子がスイッチングする際のスイッチング損失を低減でき、フリーホイール・ダイオードの逆回復時に発生するスパイク電圧を低減可能となり、モータ駆動用インバータ制御装置の省エネを図ることができる極めて有用なものである。
【図面の簡単な説明】
【００４４】
【図１】本発明の実施の形態によるモータ駆動用インバータ制御装置の構成図
【図２】本発明の実施の形態によるモータ駆動用インバータ制御装置の動作を示す図
【図３】従来のモータ駆動用インバータ制御装置の構成図
【図４】従来のモータ駆動用インバータ制御装置の動作を示す図
【図５】従来のモータ駆動用インバータ制御装置の動作を示す図
【符号の説明】
【００４５】
１  モータ
２  交流電源
３  整流回路
４  平滑コンデンサ
５，６，７，８，９，１０  パワー・スイッチング素子
１１，１２，１３，１４，１５，１６  フリーホイール・ダイオード
１７，１８，１９，２０，２１，２２  駆動回路
２３  ＣＰＵ
２４，２５，２６，２７，２８，２９  ゲート駆動回路
３０，３１，３２，３３，３４，３５  制御用電源
３６，３７，３８，３９，４０，４１  スナバ回路
４２，４３，４４，４５，４６，４７  昇圧コンバータ回路
４８，４９，５０，５１，５２，５３  電圧比較回路
【図１】
2008109792.tif 000003
【図２】
2008109792.tif 000004
【図３】
2008109792.tif 000005
【図４】
2008109792.tif 000006
【図５】
2008109792.tif 000007